(57)【要約】      （修正有）【課題】使用後の安全かつコンパクトな収納が可能なアイロンの底板カバー及び収納ユニットを提供する。【解決手段】底板１ａ上に取付けられるノーズ・グリップ３と、その前部に２つの折り畳みの細部を有するノーズ部と、その背部に２つのレール・ロッド２ｃ、２ｄおよび、１つの折り畳みの細部を有する尾部と、ノーズ・クリップ３と、ノーズ部上の左のレール凹部１ｂをカバーするための左のレール・キャップ４と、ノーズ部上の右のレール凹部１ｃをカバーするための右のレール・キャップ５と、ハンガー６とから構成される。【選択図】図２
0003168473.tif 000002
【実用新案登録請求の範囲】
【請求項１】
アイロンの底板カバーおよび収納ユニットに関連し、底板（１ａ）上に取付けられるノーズ・グリップと、その前部に２つの折り畳みの細部（１ｅ、１ｆ）を有するノーズ部（１）と、その背部に２つのレール・ロッド（２ｃ、２ｄ）および、１つの折り畳みの細部（２ｅ）を有する尾部（２）と、ノーズ・クリップ（３）と、該ノーズ部上の左のレール凹部をカバーするための左のレール・カバー（４）と、該ノーズ部上の右のレール凹部（１ｂ、１ｃ）をカバーするための左のレール・カバー（５）と、ハンガー・ユニット（６）とから構成されることにおいて特徴付けられる、アイロンの底板カバーおよび収納ユニット。
【請求項２】
異なるサイズの底板を有する異なるアイロンに適合するようにそれを変えるためのレール・ロッド・システムによって設定される前記ノーズ部（１）と前記尾部（２）とを有することにおいて特徴付けられる、請求項１記載のアイロンの底板カバーおよび収納ユニット。
【請求項３】
前記ノーズ部（１）が、前記ノーズ折り畳み部分（１ｅ、１ｆ）に取付けられて２つのノーズ・クリップ（３）を有する前記ノーズ上で前記アイロンの前記底板を捕えることにおいて特徴付けられる、請求項１記載のアイロンの底板カバーおよび収納ユニット。
【請求項４】
前記レール・ロッド（２ｃ、２ｄ）が前記レール凹部（１ｂ、１ｃ）内で摺動することができる前記底板を背部で捕える、尾部折り畳み部分（２ｅ）を有する尾部（２）を有することにおいて特徴付けられる、請求項１記載のアイロンの底板カバーおよび収納ユニット。
【請求項５】
一緒に前記尾部（２）と前記ノーズ部（１）の上部とを結合させるため、レール・ロッド・スロット（２ｃ−１、２ｄ−１）とレール固定装置（１ｂ−１、１ｃ−１）との間で配置される２つの柔軟なバンドを有することにおいて特徴付けられる、請求項１記載のアイロンの底板カバーおよび収納ユニット。
【請求項６】
細部をカバーするため、前記レール凹部（１ｂ、１ｃ）に取付けられる前記左右のレール・カバー（４、５）を有することにおいて特徴付けられる、請求項１記載のアイロンの底板カバーおよび収納ユニット。
【請求項７】
前記底板が熱いことをユーザに警告するために、温度に感度が高く、色を変化させるポリマー・バンドを備えた前記ノーズ・クリップ（３）を有することにおいて特徴付けられる、請求項１記載のアイロンの底板カバーおよび収納ユニット。
【請求項８】
よりコンパクト収納のために、前記尾部（２）に配置されるケーブル・クリップ（２ａ、２ｂ）を有することにおいて特徴付けられる、請求項１記載のアイロンの底板カバーおよび収納ユニット。
【請求項９】
いかなる水平な表面にも格納される、または、前記アイロンの重量を担持し、垂直の収納が安定していてハンガー凹部（１ｄ）を通じて重量を移すことを確実にするために前記ノーズ部（１）上に取付けられたハンガー（６）によって吊るすことができることにおいて特徴付けられる、請求項１記載のアイロンの底板カバーおよび収納ユニット。
【請求項１０】
ユニットとプレートとの間の前記ノーズ部（１）および前記尾部（２）の熱伝達を最小化するため、その表面上に傾斜細部（１ｇ、２ｆ）を有することにおいて特徴付けられる、請求項１記載のアイロンの底板カバーおよび収納ユニット。
【請求項１１】
前記ユニットが前記ノーズ・グリップ（１ａ）側において保持され、前記アイロンの前記底板が、該アイロンの該底板の前記尾部折り畳み部分（２ｅ）の底で捕えられ、該アイロンの該グリップを保持することによって該ユニットを長くするように延長されることにおいて特徴付けられる、請求項１記載のアイロンの底板カバーおよび収納ユニット。
【請求項１２】
動作させるため、前記アイロンは前記ユニットに配置され、前記ノーズ部（１）が、該アイロンの前記底板が、前記ノーズ折り畳み部分（１ｅ、１ｆ）において前記ノーズ・クリップ（３）を有する前記ノーズによって捕えられるまで左から摺動することにおいて特徴付けられる、請求項１記載のアイロンの底板カバーおよび収納ユニット。
【請求項１３】
前記ケーブルが前記アイロンに巻きつけられ、前記プラグはケーブル・クリップ（２ａ、２ｂ）の１つにおいて固定されることにおいて特徴付けられる、請求項１２に記載の動作。
【請求項１４】
前記アイロンの前記グリップを保持することによって担持され、それは、水平または垂直に前記ハンガー（６）に収納することができることにおいて特徴付けられる、請求項１３記載のアイロンの底板カバーおよび収納ユニットの動作プロセス。
【考案の詳細な説明】
【技術分野】
【０００１】
本考案はアイロンの底板カバーおよび収納ユニットに関するものであり、底板（１ａ）上に取付けられるノーズ・グリップと、その前部に２つの折り畳みの細部（１ｅ、１ｆ）を有するノーズ部（１）と、その背部に２つのレール・ロッド（２ｃ、２ｄ）および、１つの折り畳みの細部（２ｅ）を有する尾部（２）と、ノーズ・クリップ（３）と、ノーズ部上の左のレール凹部をカバーするための左のレール・カバー（４）と、ノーズ部上の右のレール凹部（１ｂ、１ｃ）をカバーするための左のレール・カバー（５）と、ハンガー・ユニット（６）とから構成されることにおいて特徴付けられ、使用の後の安全かつコンパクトな収納を可能にし、アイロンに適しているものである。
【背景技術】
【０００２】
既存の従来の底板カバーは、アイロンの底板に対する保護を提供する。しかしながら、それらの設計は、底板上へ実際的な取付けを提供しない。また、安全性の問題のために、ユーザは底板が冷めるまで待たなくてはならない。これらの設計はまた、異なる設計のアイロンと互換性を持たない。
【０００３】
使用後にアイロンを収納することができるいくつかの設計の製品が市販されている。しかしながら、これらの設計は、ケーブルの管理に対する解決法を提供しない。それに加えて、ユーザは特別の方法でアイロンを収納しなければならない。
【０００４】
アイロンの底板カバーおよび収納ユニットは、１つのコンパクトな設計においてすべての安全性および収納の問題を解決する。本解決策は、市販の異なるブランドの広範囲のアイロンの設計と互換性を持つ。
【考案の概要】
【考案が解決しようとする課題】
【０００５】
この製品の目的は、使用の前後で安全かつコンパクトな収納の選択を提供する完全に新規な底板カバーの設計を発展させることである。この設計は、異なるアイロンで使われるのを可能にする柔軟なメカニズムで二部品の本体を有する。
【０００６】
収納および安全性の問題の解決法を提供する従来の製品がいくつか市販されている。しかしながら、これらの設計は、適合性、安全性、実用性、および、ケーブル管理において不適当である。
【０００７】
この製品の主な目的は、１つのコンパクトかつ順応性が高い設計で、すべてのこれらの問題に適切な解決法を提供することである。
【図面の簡単な説明】
【０００８】
【図１】図１は、上部／側面図である。
【図２】図２は、底部／側面図である。
【図３】図３は、底部／側面図（分解した）である。
【図４】図４は、斜視図（分解した）である。
【図５】図５は、使用法である。
【考案を実施するための形態】
【０００９】
アイロンの底板カバーおよび収納ユニットは、５つの部分から構成されている：
１． 前部で２つの折り畳まれた細部（１ｅ、１ｆ）を有するノーズ部（１）；
２． 背部で２つのレール・ロッド（２ｃ、２ｄ）および折り畳まれた細部（２ｅ）を有する尾部（２）；
３． ノーズ部上の左のレール凹部をカバーするための左のレール・キャップ（４）；
４． ノーズ部上の右のレール凹部（１ｂ、１ｃ）をカバーする右のレール・キャップ（５）；
５． ハンガー・ユニット（６）。
【００１０】
設計の主な特徴は、その適合性である。ノーズ部（１）および尾部（２）は、柔軟なレール・ロッド・システムで取り付けられるので、ユニットの長さは、異なるサイズの底板で異なるアイロンに適合するために変化することができる。
【００１１】
ノーズ部（１）は、ノーズ折り畳み（１ｅ、１ｆ）に取付けられる２つのノーズ・クリップ（３）でノーズ上にアイロンの底板を捕える。尾部（２）は、尾部折り畳み（２ｅ）で背部上に底板を捕える。尾部（２）上のレール・ロッド（２ｃ、２ｄ）は、レール凹部（１ｂ、１ｃ）において摺動することができる。２つの柔軟なバンドは、ノーズ部（１）で一緒に尾部（２）を連結するため、レール・ロッド・スロット（２ｃ−１、２ｄ−１）とレール固定装置（１ｂ−１、１ｃ−１）との間で取り付けられる。左右のレール・キャップ（４、５）は、細部の上をカバーするためにレール凹部（１ｂ、１ｃ）に取付けられる。
【００１２】
ノーズ・グリップ（１ａ）は、それを底板に取付ける一方、人間工学的かつ安全なグリップを提供する。
【００１３】
ノーズ・クリップ（３）は、熱い底板をユーザに警告するため、温度に感度が高い色変更ポリマー・バンドを備える。ケーブル・クリップ（２ａ、２ｂ）は、コンパクトな収納のために尾部（２）にある。アイロンの底板カバーおよび収納ユニットは、いかなる水平な表面にも格納される、または、ハンガー（６）を用いていかなる垂直な表面にも吊るすことができる。ハンガー（６）は尾部にアイロンの重量を担持し、垂直収納の安定性を確実にするため、尾部（１）上のハンガー凹部（１ｄ）を通過する。
【００１４】
ノーズ部（１）および尾部（２）は、ユニットと底板との間の熱伝達を最小化するため、両方ともそれらの表面上に傾斜細部（１ｇ、２ｆ）を有する。
【００１５】
動作（図５）
図５−１：
ａ． ユニットが、ノーズ・グリップ（１ａ）によって保持される；
ｂ． アイロンの底板が、尾部の折り畳み部分（２ｅ）の下にひっかけられる；
ｃ． アイロンがそのハンドルで保持され、ユニットを延長するために引っ張られる。
図５−２：
ａ． アイロンが、ユニット上に下ろされる；
ｂ．ノーズ部（１）は、ノーズ折り畳み部分（１ｅ、１ｆ）のノーズ・クリップ（３）を有するノーズによってそれが底板を握持するまで、摺動するために離される。
図５−３：
ａ． ケーブルが、アイロンに巻きつけられる；
ｂ． プラグが、ケーブル・クリップ（２ａ、２ｂ）の１つに取り付けられる。
図５−４：
ａ． アイロンは、そのハンドル上でそれを握持することによって担持される；
ｂ． それは、水平または垂直にハンガー （６） に収納することができる。
【００１６】
アイロンの底板カバーおよび収納ユニットの利点
− ＩＳＣＳＵ（アイロンの底板カバーおよび収納ユニット）は、異なるアイロンの設計と互換性を持つ。
− 熱い一方で、それは容易かつ安全にアイロンに取付けることができる。ユーザは、底板が冷めるのを待つ必要がない。
− ノーズは、熱い底板をユーザに警告するため、両側に温度に感度が高い色変更ポリマー・バンドを備える。
− ＩＳＣＳＵは、コンパクト収納を可能にするために両側にケーブル・クリップを備える。
− それは、水平および垂直の収納の選択を提供する。
【符号の説明】
【００１７】
（１） ノーズ部
（１ａ） ノーズ・グリップ
（１ｂ） 左レール凹部
（１ｂ−１）左レール固定装置
（１ｃ）右レール凹部
（１ｃ−１）右レール固定装置
（１ｄ） ハンガー凹部
（１ｅ） ノーズ左折り畳み部分
（１ｆ） ノーズ右折り畳み部分
（１ｇ） ノーズ部傾斜
（２） 尾部
（２ａ） 左ケーブル・クリップ
（２ｂ） 右ケーブル・クリップ
（２ｃ） 左レール・ロッド
（２ｃ−１）左レール・ロッド・スロット
（２ｄ） 右レール・ロッド
（２ｄ−１）右レール・ロッド・スロット
（２ｅ） 尾部折り畳み部分
（２ｆ） 尾部傾斜
（３） ノーズ・クリップ
（４） 左レール・キャップ
（５） 右レール・キャップ
（６） ハンガー
【図１】
0003168473.tif 000003
【図２】
0003168473.tif 000004
【図３】
0003168473.tif 000005
【図４】
0003168473.tif 000006
【図５】
0003168473.tif 000007
【手続補正書】
【提出日】平成23年4月5日(2011.4.5)
【手続補正１】
【補正対象書類名】実用新案登録請求の範囲
【補正対象項目名】請求項１
【補正方法】変更
【補正の内容】
【請求項１】
アイロンの底板カバーおよび収納ユニットに関連し、底板（１ａ）上に取付けられるノーズ・グリップと、その前部に２つの折り畳みの細部（１ｅ、１ｆ）を有するノーズ部（１）と、その背部に２つのレール・ロッド（２ｃ、２ｄ）および、１つの折り畳みの細部（２ｅ）を有する尾部（２）と、ノーズ・クリップ（３）と、該ノーズ部上の左のレール凹部をカバーするための左のレール・カバー（４）と、該ノーズ部上の右のレール凹部（１ｂ、１ｃ）をカバーするための右のレール・カバー（５）と、ハンガー・ユニット（６）とから構成されることにおいて特徴付けられる、アイロンの底板カバーおよび収納ユニット。
【手続補正２】
【補正対象書類名】実用新案登録請求の範囲
【補正対象項目名】請求項１３
【補正方法】変更
【補正の内容】
【請求項１３】
前記ケーブルが前記アイロンに巻きつけられ、前記プラグはケーブル・クリップ（２ａ、２ｂ）の１つにおいて固定されることにおいて特徴付けられる、請求項１２に記載のアイロンの底板カバーおよび収納ユニット。
【手続補正３】
【補正対象書類名】実用新案登録請求の範囲
【補正対象項目名】請求項１４
【補正方法】変更
【補正の内容】
【請求項１４】
前記アイロンの前記グリップを保持することによって担持され、それは、水平または垂直に前記ハンガー（６）に収納することができることにおいて特徴付けられる、請求項１３記載のアイロンの底板カバーおよび収納ユニット。